(57)【要約】【課題】  二輪車のハンドルを握る手が日焼けするのを防止するとともに、手が暑くなるのを防止する。【解決手段】  二輪車ＮのハンドルＨに取付けて、ハンドルＨを握る手Ｔを紫外線から守るためのハンドルカバーであって、前方小開口部３と後方大開口部４を有する略筒状カバー本体５と、カバー本体５の内空間部Ｋを上空間部Ｋ1 と下空間部Ｋ2 に仕切る仕切り体６を、備える。上空間部Ｋ1 は風が通り抜け可能な通風空間Ａを形成する。下空間部Ｋ2 はハンドルＨを握る手Ｔを差入れる手挿入空間Ｂを形成する。【選択図】  図１
2006096314.tif 000002
【特許請求の範囲】
【請求項１】
二輪車（Ｎ）のハンドル（Ｈ）に取付けて、ハンドル（Ｈ）を握る手（Ｔ）を紫外線から守るためのハンドルカバーであって、
前方小開口部（３）と後方大開口部（４）を有する略筒状カバー本体（５）と、該カバー本体（５）の内空間部（Ｋ）を上空間部（Ｋ1 ）と下空間部（Ｋ2 ）に仕切る仕切り体（６）を、備えたことを特徴とするハンドルカバー。
【請求項２】
二輪車（Ｎ）のハンドル（Ｈ）に取付けて、ハンドル（Ｈ）を握る手（Ｔ）を紫外線から守るためのハンドルカバーであって、
前方小開口部（３）と後方大開口部（４）を有する略筒状カバー本体（５）と、該カバー本体（５）の内空間部（Ｋ）を上空間部（Ｋ1 ）と下空間部（Ｋ2 ）に仕切る仕切り体（６）を、備え、
上記上空間部（Ｋ1 ）は風が通り抜け可能な通風空間（Ａ）を形成し、かつ、上記下空間部（Ｋ2 ）はハンドル（Ｈ）を握る手（Ｔ）を差入れる手挿入空間（Ｂ）を形成するように構成した請求項１記載のハンドルカバー。
【請求項３】
仕切り体（６）は後方へ拡大状のトンネル型であり、通風空間（Ａ）は横断面三日月型又はＣ字型である請求項２記載のハンドルカバー。
【請求項４】
仕切り体（６）の一部が、カバー本体（５）から後方へ延設された腕カバー部（６ａ）を有し、使用状態に於て、上記仕切り体（６）を、ハンドル（Ｈ）を握る手（Ｔ）の指先（Ｆ）から肘（Ｅ）近傍までを被覆可能に、構成した請求項２又は３記載のハンドルカバー。
【請求項５】
カバー本体（５）が、レース（７）又はメッシュ（８）等の通気性を有する素材（Ｗ）である請求項１，２，３又は４記載のハンドルカバー。
【発明の詳細な説明】
【技術分野】
【０００１】
本発明は、ハンドルカバーに関する。
【背景技術】
【０００２】
一般に、二輪車（自転車、バイク等）に乗るときに、太陽光に含まれる紫外線によって手が日焼けするのを防止するために、二輪車のハンドルにハンドルカバーを取付ける（例えば、特許文献１参照）。
【０００３】
しかし、ハンドルカバーのカバー本体の内側に手を差入れたときに、直射日光で熱くなったカバー本体に手が直接接触するので、手が暑いという欠点があった。また、カバー本体内の通気性が悪いので、手が暑いという欠点があった。また、手が暑くなるのを緩和するために、カバー本体にレースやメッシュ等の通気性の良い素材を用いたものは、紫外線のカット率が悪くなる（低下する）と共に防水性もなくなるという欠点があった。
【特許文献１】特開２００４−１６１２２８公報
【発明の開示】
【発明が解決しようとする課題】
【０００４】
解決しようとする課題は、紫外線のカット率を上げようとすると、ハンドルを握る手が暑くなる点である。また、カバー本体に荒目の素材を用いた場合には、紫外線カット率が低下する点である。また、防水性がなくなる点である。
【課題を解決するための手段】
【０００５】
そこで、本発明に係るハンドルカバーは、二輪車のハンドルに取付けて、ハンドルを握る手を紫外線から守るためのハンドルカバーであって、前方小開口部と後方大開口部を有する略筒状カバー本体と、該カバー本体の内空間部を上空間部と下空間部に仕切る仕切り体を、備えたものである。また、二輪車のハンドルに取付けて、ハンドルを握る手を紫外線から守るためのハンドルカバーであって、前方小開口部と後方大開口部を有する略筒状カバー本体と、該カバー本体の内空間部を上空間部と下空間部に仕切る仕切り体を、備え、上記上空間部は風が通り抜け可能な通風空間を形成し、かつ、上記下空間部はハンドルを握る手を差入れる手挿入空間を形成するように構成したものである。また、仕切り体は後方へ拡大状のトンネル型であり、通風空間は横断面三日月型又はＣ字型である。また、仕切り体の一部が、カバー本体から後方へ延設された腕カバー部を有し、使用状態に於て、上記仕切り体を、ハンドルを握る手の指先から肘近傍までを被覆可能に、構成したものである。また、カバー本体が、レース又はメッシュ等の通気性を有する素材である。
【発明の効果】
【０００６】
本発明のハンドルカバーによれば、比較的涼しい状態で、手の甲や手首や腕を紫外線から守る（紫外線をカットする）ことができる。
【発明を実施するための最良の形態】
【０００７】
図１は、本発明の第１の実施の形態の使用状態を示す。このハンドルカバーは、二輪車（自転車、バイク等）ＮのハンドルＨに取付けて、ハンドルＨを握る手（運転手の手）Ｔの甲Ｊや手首Ｑを紫外線から守るためのものである。具体的には、前端１付近に固着された紐２，２をハンドルＨに巻回後、結んで、ハンドルＨに取付ける。
【０００８】
図１〜図３、図４（図３のＸ−Ｘ端面断面図）、図５（図３のＹ−Ｙ端面断面図）、及び、図６（図３のＺ−Ｚ端面断面図）に示すように、ハンドルカバーは、前方小開口部３と後方大開口部４を有する略筒状カバー本体５と、カバー本体５の内空間部Ｋを上空間部Ｋ1 と下空間部Ｋ2 に仕切る仕切り体６を、備える。カバー本体５は、通気性を有する素材Ｗを備える。具体的には、カバー本体５は、上側部分にレース７を有し、下側部分にメッシュ８を有する。仕切り体６は、例えば、布やメッシュのような織物、不織布、発泡体、ポリエチレン・ポリプロピレン・ＥＶＡ等のシート体から成る。特に、仕切り体６は、手触りが良く、緻密な素材から成るのが好ましく、この場合、紫外線のカット率が良い（高い）。（外側の）カバー本体５は後方へ拡大状の（略円錐台状の）筒型である。また、仕切り体６は後方へ拡大状のトンネル型である。
【０００９】
上述のように、上空間部Ｋ1 は、図３の矢印Ｍのように風が通り抜け可能な通風空間Ａを形成し、かつ、下空間部Ｋ2 はハンドルＨを握る手Ｔを差入れる手挿入空間Ｂを形成するように構成されている。通風空間Ａは横断面三日月型である。
なお、図６の符号９は、前述の紐２，２とともにハンドルカバーをハンドルＨに取付ける際、その取付けの位置状態（取付けの姿勢）を、通風空間Ａに風が通るように───すなわち、前方小開口部３の上部分を塞がないように───確定するための姿勢固定帯を示す。
【００１０】
図７は、第２の実施の形態の使用状態を示す。仕切り体６の一部が、カバー本体５から後方へ延設された腕カバー部６ａを有し、使用状態に於て、仕切り体６が、ハンドルＨを握る手Ｔの指先Ｆから肘Ｅ近傍までを被覆可能に、構成されている。腕Ｇを被覆しない場合には、仕切り体６をカバー本体５の内方へ折畳んで使用すれば良い。
【００１１】
図８（図３のＳ−Ｓ端面断面図に対応する）は、第３の実施の形態を示す。このハンドルカバーは、仕切り体６の後端縁11の上側の一部が、カバー本体５に縫製Ｐにより固着されている。この実施の形態によれば、仕切り体６が下方へ変形して手を差入れにくくなったり、使用感が悪くなるのを防止することができる。
【００１２】
図８（ａ）は、仕切り体６の後端縁11の上部（１箇所）を、カバー本体５に縫製Ｐした場合を示す。上空間部Ｋ1 （通風空間Ａ）は、図８（ａ）では２個に分割配置される。そして、図示省略するが、仕切り体６によって、縫製Ｐした部分以外では、第１の実施の形態と同様に、上空間部Ｋ1 が、横断面三日月型又はＣ字型の通風空間Ａを形成する。
【００１３】
図８（ｂ）は、仕切り体６の後端縁11のうち上寄りの（左右）２箇所を、カバー本体５に縫製Ｐした場合を示す。上空間部Ｋ1 （通風空間Ａ）は、図８（ｂ）では、３個に分割配置されるが、その前方位置（図示省略）では、横断面三日月型又はＣ字型の通風空間Ａを形成する。
【００１４】
なお、本発明は、設計変更可能であって、例えば、カバー本体５がレース７又はメッシュ８のいずれかのみを有するも良い。さらに、通気性を有する素材Ｗの他の１種又は２種以上を用いても自由である。また、仕切り体６が防水性の素材から成るも良く、この場合、日焼けを防止するのみでなく、手Ｔが雨に濡れるのを防止することもできる。また、図示省略するが、仕切り体６の後端縁11を、カバー本体５に全面的に縫製Ｐし、かつ、カバー本体５を通気性を有する素材とすることも可能であって、通風空間Ａ内の空気は、上記通気性を有する素材を通過して、外方へ流出することとなる。
【００１５】
以上のように、本発明は、二輪車ＮのハンドルＨに取付けて、ハンドルＨを握る手Ｔを紫外線から守るためのハンドルカバーであって、前方小開口部３と後方大開口部４を有する略筒状カバー本体５と、カバー本体５の内空間部Ｋを上空間部Ｋ1 と下空間部Ｋ2 に仕切る仕切り体６を、備えるので、紫外線をカバー本体５及び仕切り体６にて二重にカットすることができ、確実に手Ｔが日焼けするのを防ぐことができる。また、カバー本体５と仕切り体６の素材の組み合わせによって、色々なデザインに設計することができる。例えば、カバー本体５のレース７を通して、仕切り体６の色が見えるようにすることができる。また、仕切り体６を防水性の素材にすれば、日除けのみならず、雨除けとして使用することもできる。また、仕切り体６が芯の機能を果たし、全体の形崩れを抑制することができる。
また、上空間部Ｋ1 は風が通り抜け可能な通風空間Ａを形成し、かつ、下空間部Ｋ2 はハンドルＨを握る手Ｔを差入れる手挿入空間Ｂを形成するように構成したので、通風空間Ａに風が通り抜けて、内空間部Ｋに熱気がこもるのを防止することができ、仕切り体６には直射日光があたらず日陰状態であるので、仕切り体６が熱くなりにくく、手Ｔが暑くならず、使用感が良い。
【００１６】
また、仕切り体６は後方へ拡大状のトンネル型であり、通風空間Ａは横断面三日月型又はＣ字型であるので、仕切り体６の両面（すなわち、外面10及び内面12）が広い面積に於て空気に触れ、手Ｔが暑くなるのを防止することができる。
また、仕切り体６の一部が、カバー本体５から後方へ延設された腕カバー部６ａを有し、使用状態に於て、仕切り体６を、ハンドルＨを握る手Ｔの指先Ｆから肘Ｅ近傍までを被覆可能に、構成したので、腕Ｇを広範囲にわたって紫外線から守ることができる。
また、カバー本体５が、レース７又はメッシュ８等の通気性を有する素材Ｗなので、レース７又はメッシュ８等の通気性を有する素材Ｗを通してカバー本体５の内外を空気が行き来することができ、通気性がさらに良くなり、内部空間Ｋの温度が上がらず、手Ｔが暑くなるのを防止することができる。
【図面の簡単な説明】
【００１７】
【図１】本発明の第１の実施の形態の使用状態を示す斜視図である。
【図２】背面図である。
【図３】側面図である。
【図４】図３のＸ−Ｘ端面断面図である。
【図５】図３のＹ−Ｙ端面断面図である。
【図６】図３のＺ−Ｚ端面断面図である。
【図７】第２の実施の形態の使用状態を示す斜視図である。
【図８】第３の実施の形態を示し、（図３のＳ−Ｓ断面の位置に対応する）端面断面図である。
【符号の説明】
【００１８】
３  前方小開口部
４  後方大開口部
５  カバー本体
６  仕切り体
６ａ  腕カバー部
７  レース
８  メッシュ
Ａ  通風空間
Ｂ  手挿入空間
Ｅ  肘
Ｆ  指先
Ｈ  ハンドル
Ｋ  内空間部
Ｋ1 上空間部
Ｋ2 下空間部
Ｎ  二輪車
Ｔ  手
Ｗ  通気性を有する素材
【図１】
2006096314.tif 000003
【図２】
2006096314.tif 000004
【図３】
2006096314.tif 000005
【図４】
2006096314.tif 000006
【図５】
2006096314.tif 000007
【図６】
2006096314.tif 000008
【図７】
2006096314.tif 000009
【図８】
2006096314.tif 000010